(57)【要約】【課題】  手摺バーを室内の隅に取り付ける際の施工性が改善した手摺ブラケットを提供する。【解決手段】  壁面取付部３には、４個のボルト誘導口３ａ〜３ｄが形成される。このうち第３及び第４のボルト誘導口３ｃ及び３ｄは、本柱４０が壁をはさんで対向する側ではなく斜めに変位している場合に用いられる。即ち、ボルト誘導口３ｃ及び３ｄは長孔状とされ、それらに挿入されるボルトの軸の延長線Ｌ１、Ｌ２が正面視においてボルト誘導口より手摺バー保持部側で交差するように設定されている。【選択図】  図２
2008050862.tif 000002
【特許請求の範囲】
【請求項１】
手摺バーの端部を壁面に固定するための手摺ブラケットであって、手摺バーの端部を保持する手摺バー保持部と、壁面に当接する壁面取付部と、前記手摺バー保持部と前記壁面取付部とを連結し、正面側に開放部が形成された連結部と、前記開放部を覆う着脱自在の装飾カバーと、を有し、前記壁面取付部には、少なくとも２つの長孔状のボルト誘導口が垂直方向に離間して形成され、前記ボルト誘導口に挿入されるボルトの軸の延長線が、正面視において前記ボルト誘導口より前記手摺バー保持部側で交差することを特徴とする手摺ブラケット。
【請求項２】
請求項１に記載の手摺ブラケットにおいて、前記ボルト誘導口に挿入されるボルトの軸の延長線が、前記手摺バーの長手方向の中心線を基準としてそれぞれの前記ボルト誘導口とは反対側の前記手摺バー保持部と連結部との境であって、かつ前記開放部の端縁を構成する隅部に指向していることを特徴とする手摺ブラケット。
【請求項３】
請求項１または請求項２に記載の手摺ブラケットにおいて、前記連結部は、断面がほぼ半円弧状に形成されていることを特徴とする手摺ブラケット。
【請求項４】
請求項１乃至請求項３の何れかに記載の手摺ブラケットにおいて、前記開放部の端縁内側に、前記ボルト誘導口に挿入したボルトを廻す取付工具を当接させてガイドするための突起部が形成されていることを特徴とする手摺ブラケット
【請求項５】
請求項４に記載の手摺ブラケットにおいて、前記突起部は、前記装飾カバーを連結部に装着する際の係止部として機能することを特徴とする手摺ブラケット。
【発明の詳細な説明】
【技術分野】
【０００１】
本発明は手摺バーを室内の壁面に取り付ける手摺ブラケットに関する。
【背景技術】
【０００２】
高齢者の生活環境を改善する観点より、住宅の室内や廊下等に手摺が設けられている。手摺バーの取り付けに使用される手摺ブラケットは、取付強度を確保するため、壁面だけでなく壁裏に設けられる本柱に対してもボルトで固定する必要がある。このとき、壁を挟んで手摺ブラケットと対向する位置に本柱が配置されていれば、ボルトを壁面に対しほぼ垂直にねじ込むことで、手摺ブラケットを壁と本柱のいずれに対しても強固に固定することができる。
【０００３】
しかし、室内の隅への取り付けの際など、本柱が手摺ブラケットと対向する位置に設けられていない場合には、このような固定方法をとることができない。そこで特許文献１には、図５に示すようにボルトを水平方向に傾斜させてねじ込み、手摺ブラケットの壁面取付部を壁及びオフセットしている本柱に対し固定することが開示されている。
【０００４】
【特許文献１】特開２００６−７０６１１号公報
【発明の開示】
【発明が解決しようとする課題】
【０００５】
手摺が使用される際、手摺バーを介して荷重が加わるため、手摺ブラケットにはその荷重に耐え得る高い剛性が求められる。したがって、手摺ブラケットは一般的に亜鉛ダイカスト等の金属材料で成形されることが多く、重量も大きなものとなりやすい。そこで軽量にするため、手摺ブラケットをコンパクトに構成することが要求される。
【０００６】
特許文献１記載の手摺ブラケットをコンパクトにするためには、取付座（壁面取付部）と手摺嵌合部（手摺バー保持部）を極力近づけた構成としたい。しかしながら、上記のようにボルトを傾斜させてねじ込む必要がある場合、両者を近づけ過ぎると取付作業の際にドライバ等の取付工具が手摺嵌合部と干渉するため、適切な傾斜角度でボルトをねじ込むことができない。したがって、この傾斜角度を維持するためには取付座と手摺嵌合部とを大きく離した構成とせざるを得ず、手摺ブラケットをコンパクトに構成できないという問題があった。
【０００７】
また、取付工具が手摺ブラケットと干渉した際に、手摺ブラケットに傷が付いたり、塗装やメッキを剥がすこともある。
【課題を解決するための手段】
【０００８】
上記課題を解決するため本発明は、手摺バーの端部を壁に固定するための手摺ブラケットであって、手摺バーの端部を保持する手摺バー保持部と、壁面に当接する壁面取付部と、手摺バー保持部と壁面取付部とを連結し、正面側に開放部が形成された連結部と、開放部を覆う着脱自在の装飾カバーと、を有し、壁面取付部には、少なくとも２つの長孔状のボルト誘導口が垂直方向に離間して形成され、ボルト誘導口に挿入されるボルトの軸の延長線が、正面視においてボルト誘導口より手摺バー保持部側で交差するように構成した。
【０００９】
上記したように構成することで、取付作業においてボルトを廻すドライバ等の取付工具の回転中心となる軸線が、水平方向だけでなく垂直方向にも傾斜する。そのため、この取付工具の軸線が手摺バー保持部を避けるように傾斜配置されるため、取付工具と手摺ブラケットとの干渉が抑えられる。これにより、手摺バー保持部と壁面取付部を近づけ、手摺ブラケットをコンパクトに構成することが可能となる。また、複数のボルト誘導口に挿入されるボルトは、それぞれボルト誘導口からボルト先端にかけて手摺ブラケット外方に離反するよう指向するため、本柱等にねじ込まれた際に内部に干渉することが無い。
【００１０】
また、ボルト誘導口に挿入されるボルトの軸の延長線は、手摺バーの長手方向の中心線を基準としてボルト誘導口とは反対側の手摺バー保持部と連結部との境であって、かつ開放部の端縁を構成する隅部に指向していることが好ましい。
【００１１】
本発明のように構成すれば、ボルトをねじ込む際、ドライバ等の取付工具の回転中心となる軸線は、開放部の端縁を構成する隅部に指向する。したがって、取付工具の軸線は手摺バー保持部を避けるようさらに傾斜するため、手摺バー保持部と壁面取付部とを近づけて手摺ブラケットをコンパクトに構成することができる。
【００１２】
また、連結部の形状としては、断面がほぼ半円弧状に形成されていることが好ましい。
【００１３】
手摺ブラケット取付の際の作業性を向上させるためには、取付工具が挿入される作業空間として機能する開放部は大きく形成されている方が好ましい。しかし、連結部の断面が、例えば矩形の板状などに形成されていると、作業性の向上と引き換えに手摺ブラケットの剛性が大きく損なわれる。そこで本発明では、断面をほぼ半円弧状に形成することで、手摺ブラケットの剛性を確保しつつ、正面側を広く開放して作業性を向上させることができる。
【００１４】
また、開放部の端縁内側に、ボルト誘導口に挿入したボルトを廻す取付工具を当接させてガイドするための突起部を形成してもよい。
【００１５】
本発明のように突起部を設けることにより、取付工具を突起部に当接させながら取付作業を行うことで、取付工具のふらつきが抑えられ、作業性が向上する。また、取付工具との当接によって突起部に傷が付いたり塗装が剥げた場合でも、開放部は装飾カバーにより覆われるため、取付作業後は傷や塗装の剥げが表から見えることはなく、意匠性が損なわれることもない。
【００１６】
更に、突起部を、装飾カバーを連結部に装着する際の係止部として兼用してもよい。
【００１７】
本発明のように、突起部を、装飾カバーを連結部に装着する際の係止部として兼用すれば、別途装飾カバーを装着する機構を設ける必要が無くなる。
【発明を実施するための最良の形態】
【００１８】
以下に本発明の好適な実施例を添付図面に基づいて説明する。図１は本発明に係る手摺ブラケットの取付け状態を示す一部を破断して示す平面図、図２は装飾カバーを外した状態で図１のＡ方向から見た図、図３は装飾カバーとブラケットとの関係を示す図、図４は手摺バーを壁に取付けた状態を示す図である。
【００１９】
手摺ブラケット１は、手摺バー２０の端部が嵌合する環状の手摺バー保持部２と、壁３０に当接する板状の壁面取付部３と、手摺バー保持部２と壁面取付部３とを連結する連結部４とを備えている。連結部４は、手摺バー保持部２から壁面取付部３にかけて略９０°湾曲して形成されている。連結部４の断面は略半円弧状で、正面側にその開放端を向けることで開放部４ａが形成されている。
【００２０】
また、開放部４ａの端縁４ｂ（上記した半円弧の開放端）の内側には、突起部５が形成されている。突起部５は、端縁４ｂの内側の一部を延設させたものであり、少なくとも連結部４と手摺バー保持部２の境となる部分に形成されている。
【００２１】
開放部４ａは、その端縁４ｂと対応する周縁を有する装飾カバー６が装着されて覆われる。装飾カバー６も連結部４同様、略９０°湾曲して形成されており、装飾カバー６の具体的な取付は、装飾カバー６の内側の湾曲面に形成された係止溝６ｂを突起部５に係止させることで行われている。さらに、手摺バー保持部２に形成した孔２ａと装飾カバー６に形成した孔６ａと合せ、両者を貫通するビスなどによって手摺バー２０に対し共締めされる。
【００２２】
壁面取付部３には、４個のボルト誘導口３ａ〜３ｄが形成される。第１及び第２のボルト誘導口３ａ及び３ｂは、本柱が壁を隔てて壁取付部３と対向する位置に設けられている場合に、ボルトをねじ込むために用いられる。すなわち、壁取付部３と本柱がこのような位置関係にある場合、ボルトは壁面３０に対しほぼ垂直となるよう第１及び第２のボルト誘導口３ａ及び３ｂに挿通し、壁３０及び本柱に対してボルトをねじ込み、固定すればよい。これらのボルト誘導口３ａ及び３ｂは円形状となっている。
【００２３】
一方、第３及び第４のボルト誘導口３ｃ及び３ｄは、本柱４０が壁３０をはさんで壁取付部３と対向する位置になく、オフセットした位置に設けられている場合に用いられる。ボルト誘導口３ｃ及び３ｄは長孔状に形成され、それらに挿入されるボルトの軸の延長線Ｌ１、Ｌ２が正面視においてボルト誘導口３ｃ及び３ｄより手摺バー保持部２側で交差している。また、ボルト誘導口３ｃに挿入されるボルトの軸の延長線Ｌ２は、手摺バー２０の長手方向中心線２０ａを基準として、対向する第１の隅部４ｃに指向している。同様に、他方のボルトの軸の延長線Ｌ１は、第２の隅部４ｄに指向している。ここで、第１及び第２の隅部４ｃ及び４ｄは、手摺バー保持部２と連結部４との境にあり、開放部４ａの端縁４ｂを構成するものである。
【００２４】
ボルトの軸の延長線Ｌ１、Ｌ２を上記したように交差させることで、ボルトを廻すドライバの回転中心となる軸が、手摺バー保持部２を避けるよう水平方向のみでなく垂直方向にも傾斜する。このような軸の配置により、ドライバが手摺バー保持部２と干渉することなく取付作業が可能となるため、手摺バー保持部２と壁取付部３をさらに近づけて、手摺ブラケット１全体をコンパクトな構成とすることができる。
【００２５】
さらに、それぞれのボルトは、挿入されるボルト誘導口３ｃ、３ｄからボルトの先端にかけ、手摺ブラケット１の外方に離反する方向に傾斜する。したがって、両ボルトが壁３０や本柱４０にねじ込まれた際、その内部で干渉することもない。また、このように離反するよう傾斜してねじ込まれたボルトは、手摺ブラケット１ごとボルトを引き抜こうとする力に対し大きな効力を発生させるため、取付強度が向上する。
【００２６】
また、一方の手で手摺ブラケット１を壁３０に当てがいながら、他方の手でドライバでボルトを廻してねじ込んでいく取付作業は、ドライバの軸がふらつきやすいため、困難なものとなる。特に本実施形態のように、ボルトを傾斜させてねじ込む場合はこの課題が顕著なものとなる。
【００２７】
そこで取付作業の際、ドライバの軸がふらつかないよう、突起部５に押し当てながら、ボルトをねじ込むことで作業性が向上する。このとき、ドライバとの干渉により、突起部５に施された塗装やメッキが剥がれることがある。しかし、上記したように突起部５は装飾カバー６と係止して覆われるため、装飾カバー６の装着後は塗装やメッキが剥がれた部分が表から見えることは無く、意匠性を損なうことも無い。
【図面の簡単な説明】
【００２８】
【図１】本発明に係る手摺ブラケットの取付け状態を示す一部を破断して示す平面図
【図２】装飾カバーを外した状態で図１のＡ方向から見た図
【図３】装飾カバーとブラケットとの関係を示す図
【図４】手摺バーを壁に取付けた状態を示す図
【図５】従来の手摺ブラケットの取付作業状態を示す図
【符号の説明】
【００２９】
１…手摺ブラケット、２…手摺バー保持部、２ａ…ビス取付孔、３ａ、３ｂ…ボルト誘導口、３ｃ、３ｄ…ボルト誘導口、３…壁面取付部、４…連結部、４ａ…開放部、４ｂ…端縁、４ｃ、４ｄ…端縁、５…突起部、６…装飾カバー、６ａ…ビス取付孔、６ｂ…係止溝、２０…手摺バー、２０ａ…手摺バーの長手方向中心線、３０…壁、４０…本柱、Ｌ１、Ｌ２…ボルト誘導口３ｄ、３ｃに挿入されるボルトの軸の延長線
【図１】
2008050862.tif 000003
【図２】
2008050862.tif 000004
【図３】
2008050862.tif 000005
【図４】
2008050862.tif 000006
【図５】
2008050862.tif 000007